(57)【特許請求の範囲】
【請求項１】
本体と、この本体内に対向して設けられた複数のヒータと、前記ヒータ間に対で設けられたパンの位置決めを行う保持枠と、この保持枠の一方に取り付けられた模様板と、前記ヒータ間に設けられると共にパンを昇降させるパン受け部と、前記保持枠とパン受け部とを連動させるねじりバネとを有し、このねじりバネの腕部の端部が対で設けられた前記保持枠にそれぞれ接続されると共に、前記ねじりバネの環状部が前記パン受け部に接続されるトースターにおいて、
前記ねじりバネの一方の腕部を他方の腕部よりも長く形成すると共に、前記一方の腕部を前記模様板が取り付けられた一方の前記保持枠に接続し、前記他方の腕部を他方の前記保持枠に接続したことを特徴とするトースター。
【発明の詳細な説明】
【技術分野】
【０００１】
本発明は、いわゆるポップアップ式と呼ばれるトースターに関するものであり、特に、焼かれるパンの表面に焼き模様を付けることができるトースターに関するものである。
【背景技術】
【０００２】
従来、この種のトースターとしては、本体の焼き室の外側でパン受け台（本発明のパン受け部に相当する）に下端が係止されたコイルバネを設け、一対のパン保持枠（本発明の保持枠に相当する）の上端にその両端が係止されたリング状のねじりバネを設け、前記コイルバネの上端とねじりバネのリング部とを連結したものが知られている（例えば、特許文献１参照。）。そして、このように構成することにより、前記パン受け台に食パンを乗せて下降させると、前記コイルバネを介して前記ねじりバネのリング部が下方に引っ張られ、これによって、前記ねじりバネの両端が係止された前記パン保持枠の上端が引っ張られることで、一対の前記パン保持枠が下端を中心として上端側が狭まるように回動し、食パンが挟まれて位置決めされる。また、この種のトースターには、焼き模様を食パンの表面に形成することができるものが知られている（例えば、特許文献２参照。）。これは、ヒーター板（本発明のヒータに相当する）間に図形板（本発明の模様板に相当する）が取り付けられた保護杆（本発明の一方の保持枠に相当する）を設け、パン受杆（本発明のパン受け部に相当する）に食パンを乗せて下降させると、食パンが押圧杆によって前記図形板が取り付けられた保護杆に押し付けられるものである。そして、このように食パンを前記図形板が取り付けられた保護杆に押し付けると、食パンが前記図形板側のヒータに接近することで、焼き模様が付きやすくなる。（逆に言えば、前記図形板によって一方の前記ヒーター板からの熱が遮られるため、食パンの一方の面を良好に焼こうとすれば、食パンを一方の前記ヒーター板側に偏らせなければならない。）
【特許文献１】特開平７−２０４１０５号公報
【特許文献２】実開昭４９−１２３１６１号公報
【発明の開示】
【発明が解決しようとする課題】
【０００３】
しかしながら、後者のようなトースターは、焼き模様を付けることができるトースターに限定された構造である。即ち、後者のようなトースターから図形板を取り外すと、食パンの一方の面が一方のヒーター板に接近する半面、食パンの他方の面が他方のヒーター板から離れてしまい、この結果、食パンの一方の面が他方の面よりも濃い焼き色に焼けてしまうという問題があり、図形板のないトースターには好ましくない構造であると言える。従って、後者のようなトースターでは、一つの製品のバリエーションとして、図形板を用いて食パンの表面に焼き模様を付けることができるものと、図形板を用いない一般的なものの両方を提供することが難しかった。
【０００４】
そこで、前者のようなトースターの前記パン保持枠に模様板を取り付けることも考えられる。しかしながら、このようなトースターの前記パン保持枠に模様板を取り付けても、食パンの表面に焼き模様を良好に形成することが難しかった。何故ならば、前者のようなトースターでは、模様板を取り付けない状態において、前記パン保持枠によって、食パンと発熱体との距離が均等になるように構成されているばかりでなく、一方の前記パン保持枠に模様板を取り付けると、この模様板が取り付けられた前記パン保持枠の方が重くなることで、食パンが一方の前記パン保持枠に押されてしまい、むしろ食パンの焼き模様を付ける方の面が一方の前記発熱体から離れてしまう虞があるため、食パンの表面に焼き模様が良好に形成しにくいからである。
【０００５】
本発明は以上の問題点を解決し、焼き模様を良好に付けることができるトースターを容易に提供できるようにすることを目的とする。
【課題を解決するための手段】
【０００６】
本発明の請求項１に記載のトースターは、本体と、この本体内に対向して設けられた複数のヒータと、前記ヒータ間に対で設けられたパンの位置決めを行う保持枠と、この保持枠の一方に取り付けられた模様板と、前記ヒータ間に設けられると共にパンを昇降させるパン受け部と、前記保持枠とパン受け部とを連動させるねじりバネとを有し、このねじりバネの腕部の端部が対で設けられた前記保持枠にそれぞれ接続されると共に、前記ねじりバネの環状部が前記パン受け部に接続されるトースターにおいて、前記ねじりバネの一方の腕部を他方の腕部よりも長く形成すると共に、前記一方の腕部を前記模様板が取り付けられた一方の前記保持枠に接続し、前記他方の腕部を他方の前記保持枠に接続したものである。
【発明の効果】
【０００７】
本発明の請求項１に記載のトースターは、以上のように構成することにより、前記本体の上部開口から食パンを挿入し、前記パン受け部を下降させると、このパン受け部に接続された前記ねじりバネが引き下げられることで、このねじりバネによって引っ張られて前記保持枠が内側に倒れる。この際、前記模様板が取り付けられた一方の前記保持枠に接続された前記ねじりバネの一方の腕部が、他方の前記保持枠に接続された前記ねじりバネの他方の腕部よりも長く形成されているため、他方の保持枠が一方の保持枠よりも内側に強く引かれ、これによって、食パンが一方の保持枠側に寄ることになり、この結果、食パンの前記模様板側が前記ヒータにより近くなり、食パンの表面に焼き模様を良好に付けることができる。
【発明を実施するための最良の形態】
【０００８】
以下、本発明の実施形態について、図１乃至図６に基づいて説明する。なお、以下の実施形態において、図１の姿勢を基準として、上下、左右及び前後を規定する。１は本発明のトースターである。このトースター１は、上方に開口部２を有する本体３と、この本体３内に設けられる焼成ユニット４と、図示しない制御回路を有して構成されている。
【０００９】
前記本体３は、上外殻体５と下外殻体６とを有して構成されている。前記上外殻体５にはレバー用凹部７が形成されており、このレバー用凹部７に昇降レバー８が昇降自在に設けられている。なお、この昇降レバー８の昇降に連動して、後述するパン受け部２６が昇降するように構成されている。また、前記上外殻体５には、摘み用凹部９が形成されており、この摘み用凹部９から突出した図示しない可変抵抗の回動軸に回動摘み１０が取り付けられている。なお、前記可変抵抗は、食パンＢＲの焼き時間を調節するためのものである。更に、前記上外殻体５には切欠部１１が形成されており、この切欠部１１にリセットスイッチ１２が設けられている。また、前記下外殻体６にはボス１３が形成されており、このボス１３に断熱スペーサ１４を介して前記焼成ユニット４が取り付けられている。更に、前記下外殻体６には図示しない引出口が形成されており、この引出口から前記焼成ユニット４内にパン屑受け１５が挿入されている。
【００１０】
前記焼成ユニット４は、金属筐体１６を有しており、この金属筐体１６の上部が前記上外殻体５の開口部２から露出していると共に、前記金属筐体１６の上部に、前記パンＢＲを挿入するための開口部１７が形成されている。また、前記金属筐体１６の側面上部には、貫通孔１８が前後に対で形成されていると共に、前記金属筐体１６の側面中央に、貫通溝１９が上下方向に形成されている。更に、前記金属筐体１６の側面下部には、軸受孔２０が前後に対で形成されている。そして、前記焼成ユニット４の金属筐体１６の内部には、複数の金属線材を格子状に結合して形成された保持枠２１が軸２２を中心として揺動自在に一対設けられている。なお、前記保持枠２１は、前記金属筐体１６に形成された前記軸受孔２０によって揺動自在に支持されている。また、前記保持枠２１の上部には、それぞれ折曲部２３が形成されている。そして、これらの折曲部２３は、前記貫通孔１８を通って前記金属筐体１６の外部に露出している。また、前記保持枠２１のうち、正面側に設けられた一方の保持枠２１Ａには模様板２４が取り付けられている。そして、前記金属筐体１６の内面と前記一方の保持枠２１Ａとの間、及び前記金属筐体１６の内面と他方の保持枠２１Ｂとの間に、それぞれヒータ２５が対向して設けられている。更に、前記金属筐体１６の略中央には、前記保持枠２１間及びヒータ２５間で食パンＢＲを昇降させるパン受け部２６が設けられている。なお、このパン受け部２６の一端は、前述した通り、前記昇降レバー８に接続されていると共に、前記パン受け部２６の他端にはバネ掛け部２７が形成されており、このバネ掛け部２７が前記貫通溝１９を介して前記金属筐体１６の外部に露出している。そして、前記バネ掛け部２７には、コイルバネ２８の下端が掛けられている。また、このコイルバネ２８の上端は、ねじりバネ２９の環状部３０に接続されている。即ち、前記ねじりバネ２９は、前記コイルバネ２８を介して前記パン受け部２６に接続されている。更に、前記ねじりバネ２９の腕部３１の端部３２は、それぞれ前記保持枠２１の折曲部２３に接続されている。なお、前記腕部３１のうち、前記一方の保持枠２１Ａの折曲部２３Ａに接続される一方の腕部３１Ａの長さＬ１は、前記他方の保持枠２１Ｂの折曲部２３Ｂに接続される他方の腕部３１Ｂの長さＬ２よりも長く形成されている。このため、前記ねじりバネ２９の環状部３０は、初期状態において、前記保持枠２１間の中央よりもやや後方（図２における左側）に寄っている。
【００１１】
次に、本実施形態の作用について説明する。まず、使用者は、予め前記回動摘み１０を操作して、前記食パンＢＲの焼き時間を適宜調節する。そして、前記食パンＢＲを前記開口部１７から前記トースター１の焼成ユニット４内に挿入する。なお、この際、前記食パンＢＲをやや前記一方の保持枠２１Ａ側に寄った状態で前記パン受け部２６上に挿入すると、良い結果が得られる。更に、前記昇降レバー８を下げることで、この昇降レバー８と連動する前記パン受け部２６が下降し、前記食パンＢＲが前記焼成ユニット４内の前記ヒータ２５間に配置される。この際、前記パン受け部２６のバネ掛け部２７に掛けられたコイルバネ２８が下方に引っ張られて伸長し、これに伴って、前記ねじりバネ２９も下方に引っ張られる。なお、前記コイルバネ２８によって引っ張られたねじりバネ２９は、図２に示すような前記腕部３１の端部３２同士が離れた状態から、図４に示すような前記腕部３１の端部３２同士が近づいた状態に弾性変形し、前記折曲部２３を内側に引っ張る。これによって、前記保持枠２１が前記軸２２を中心として内側に倒れ、これらの倒れた保持枠２１によって前記食パンＢＲが挟まれて位置決めされることになる。なお、前記保持枠２１の傾斜は、前記折曲部２３が前記貫通孔１８の縁と当接する範囲に制限されている。
【００１２】
なお、前述したように、前記ねじりバネ２９の腕部３１のうち、前記一方の腕部３１Ａの長さＬ１が前記他方の腕部３１Ｂの長さＬ２よりも長く形成されていることで、前記ねじりバネ２９が引き下げられた際に、前記他方の腕部３１Ｂが接続された他方の保持枠２１Ｂが、前記一方の腕部３１Ａが接続された一方の保持枠２１Ａよりも内側に大きく倒れると共に、前記パン受け部２６が最下位置にある状体で、前記他方の保持枠２１Ｂが前記一方の保持枠２１Ａよりも強い力で内側に引かれる。このため、前記食パンＢＲは、前記一方の保持枠２１Ａよりも前記他方の保持枠２１Ｂによって押されることになり、この結果、前記食パンＢＲは前記一方の保持枠２１Ａ側、即ち前記模様板２４側に押されることになる。なお、前記食パンＢＲを挿入する際に前記パン受け部２６の中央に載置すると、前記パン受け部２６を下降させることで前記食パンＢＲが前記一方の保持枠２１Ａ側、即ち前記模様板２４側に傾倒しやすくなるが、前述したように、前記食パンＢＲを前記パン受け部２６のやや前記一方の保持枠２１Ａ側に寄せて載置することで、前記パン受け部２６を下降させても、前記食パンＢＲがほぼ直立した状態を保つことができる。この状態において、前記一方の保持枠２１Ａは内側に僅かに傾倒することになるが、ほぼ直立したままであり、一方、前記他方の保持枠２１Ｂは前記一方の保持枠２１Ａよりも大きく傾倒する。この結果、前記食パンＢＲの模様付けをする側の面と模様板２４が近接する（或いは接触する）ばかりでなく、前記食パンＢＲの模様付けをする側の面が前記ヒータ２５に接近するので、前記模様板２４による焼き模様が前記食パンＢＲに良好に付けられる。
【００１３】
そして、前記摘み９によって設定された時間が経過すると、前記パン受け部２６が上昇し、これに伴って、前記コイルバネ２８及びねじりバネ２９が復元することで、一対の前記保持枠２１も元の直立した状態に戻る。そして、前記パン受け部２６が上昇することで、前記ヒータ２５によって焼かれた食パンＢＲが前記開口部１７から取り出し可能となる。
【００１４】
なお、本実施形態のトースター１は、従来構造のトースターの一部を変更することで容易に実現することができる。即ち、従来構造のトースターのうち、保持枠の一方に代えて前記模様板２４が取り付けられた本発明の前記一方の保持枠２１Ａを用いると共に、腕部の長さが均等に形成されたねじりバネに代えて前記一方の腕部３１Ａが前記他方の腕部３１Ｂよりも長く形成された本発明の前記ねじりバネ２９を用い、長い前記一方の腕部３１Ａの端部３２Ａを前記一方の保持枠２１Ａの折曲部２３Ａに、短い前記他方の腕部３１Ｂの端部３２Ｂを前記他方の保持枠２１Ｂの折曲部２３Ｂに接続することで、本実施形態のトースター１を実現することができる。従って、通常の製品と前記食パンＢＲに焼き模様を付けることができる製品の両方を提供する場合であっても、前記一方の保持枠２１Ａとねじりバネ２９以外の殆どの部品を共通化することができると共に、前記一方の保持枠２１Ａも、従来の保持枠に前記模様板２４を取り付けるだけであり、また、前記ねじりバネ２９も前記一方の腕部３１Ａの長さと他方の腕部３１Ｂの長さを違えさせるだけなので、従来の技術のように、前記食パンＢＲに焼き模様を付けることができるトースター全体を専用の構造にする必要がなく、コストアップを最小限に抑えることができる。
【００１５】
以上のように本発明は、本体３内に設けられた焼成ユニット４の内部に一対のヒータ２５を対向して設け、これらヒータ２５間で揺動して食パンＢＲの位置決めを行う一対のパン保持枠２１を設け、一方の保持枠２１Ａに模様板２４を取り付け、前記ヒータ２５間に食パンＢＲを昇降させるパン受け部２６を設け、一対の前記保持枠２１の折曲部２３に腕部３１の端部３２が接続されると共に環状部３０がコイルバネ２８を介して前記パン受け部２６に接続され、前記保持枠２１とパン受け部２６とを連動させるねじりバネ２９を設け、前記一方の保持枠２１Ａに接続される一方の腕部３１Ａの長さを他方の保持枠２１Ｂに接続される他方の腕部３１Ｂの長さよりも長く形成することで、前記パン保持部２６の下降に伴って前記他方の保持枠２１Ｂが一方の保持枠２１Ａよりも内側に強く引かれ、これによって、食パンＢＲが一方の保持枠２１Ａ側に寄ることになり、この結果、食パンＢＲの前記模様板２４側が前記ヒータ２５により近くなり、食パンＢＲの表面に焼き模様を良好に付けることができるものである。
【００１６】
なお、本発明は以上の実施形態に限定されるものではなく、発明の要旨の範囲内で種々の変形実施が可能である。例えば、上記実施形態では、前記焼成ユニットに開口部を一つだけ設け、ヒータと保持枠をそれぞれ一対だけ設けたが、前記焼成ユニットに開口部を二つ平行に設けると共に、ヒータを三つ以上、保持枠を二対設けるようにしても良い。
【図面の簡単な説明】
【００１７】
【図１】本発明の一実施形態を示すトースターの外観図であり、（ａ）は正面図、（ｂ）は平面図である。
【図２】本発明の一実施形態を示すトースターのＡ−Ａ拡大断面図である。
【図３】本発明の一実施形態を示すトースターのＢ−Ｂ拡大断面図である。
【図４】本発明の一実施形態を示すトースターのパンを入れた状態におけるＡ−Ａ拡大断面図である。
【図５】本発明の一実施形態を示すトースターのパンを入れた状態におけるＢ−Ｂ拡大断面図である。
【図６】本発明の一実施形態を示すトースターのねじりバネの外観図である。
【符号の説明】
【００１８】
１  トースター
３  本体
２１  保持枠
２１Ａ  一方の保持枠
２１Ｂ  他方の保持枠
２４  模様板
２５  ヒータ
２６  パン受け部
２９  ねじりバネ
３０  環状部
３１  腕部
３１Ａ  一方の腕部
３１Ｂ  他方の腕部
３２  端部
３２Ａ  一方の腕部の端部
３２Ｂ  他方の腕部の端部
ＢＲ  食パン
【図１】
0004597903.tif 000002
【図２】
0004597903.tif 000003
【図３】
0004597903.tif 000004
【図４】
0004597903.tif 000005
【図５】
0004597903.tif 000006
【図６】
0004597903.tif 000007